(57)【要約】【課題】  他人に二重のプレゼントをすることが出来、かつ目に触れる身近な場所に置いておくということが出来る、タイムカプセルをその内部に入れることが出来る人形、特に縫いぐるみを提供すること。【解決手段】  胴体（９）の一方側に設けられた空洞部（１）と、当該空洞部（１）を開閉するために設けられたファスナー（２）と、首部と胴体の間（３）に設けられたＤ型形状の金具（４）と、当該Ｄ型形状の金具（４）と当該ファスナー（２）に設けられた環（５）とを掛ける錠（６）と、一方の手の平（８）とその上部に縫いつけられた生地（１０）との間に置かれた鍵（７）と、一方の手の平（８）の鍵（７）を置く下の生地（１５）と上部に縫いつけられた生地（１０）とが同一の生地であること、からなる人形と，  当該空洞部（１）に収納するタイムカプセル（１１）との組合せからなる。【選択図】      図１
0003141520.tif 000002
【実用新案登録請求の範囲】
【請求項１】
胴体（９）の一方側に設けられた空洞部（１）と、当該空洞部（１）を開閉するために設けられたファスナー（２）と、首部と胴体の間（３）に設けられたＤ型形状の金具（４）と、当該Ｄ型形状の金具（４）と当該ファスナー（２）に設けられた環（５）とを掛ける錠（６）と、一方の手の平（８）とその上部に縫いつけられた生地（１０）との間に置かれた鍵（７）と、一方の手の平（８）の鍵（７）を置く下の生地（１５）と上部に縫いつけられた生地（１０）とが同一の生地であること、からなる人形と，
当該空洞部（１）に収納するタイムカプセル（１１）との組合せからなることを特徴とするタイムカプセルをその内部に入れることが出来る人形。
【請求項２】
前記人形が縫いぐるみであることを特徴とする請求項１記載のタイムカプセルをその内部に入れることが出来る人形。
【請求項３】
前記空洞部（１）及びファスナー（２）が人形の胴体（９）の背部に設けられていることを特徴とする請求項１又は２記載のタイムカプセルをその内部に入れることが出来る人形。
【請求項４】
前記縫いぐるみの身体がヤギのモヘアで出来ており、目（１３）がガラスで出来ており、首にリボン（１４）が設けられ、かつ手の平（８）及び足の裏部（１２）に刺繍がされていることを特徴とする請求項２記載のタイムカプセルをその内部に入れることが出来る人形。
【請求項５】
前記縫いぐるみの身体の一部にアクセサリーを付けることを特徴とする請求項２又は４記載のタイムカプセルをその内部に入れることが出来る人形。
【考案の詳細な説明】
【技術分野】
【０００１】
本考案は人形の胴体の空洞部にタイムカプセルを入れることが出来る人形、特に縫いぐるみに関する。
【背景技術】
【０００２】
タイムカプセルを小学校、中学校の卒業の際、校庭の一定箇所に埋めて、一定の年月経過後にそのタイムカプセルを地中から掘り出すということ、又カン等にタイムカプセルを入れてプレゼントするということが現在おこなわれている。
【考案の開示】
【考案が解決しようとする課題】
【０００３】
このように、現在行われているタイムカプセルは、タイムカプセル自体を地中等一定の場所に隠すということ、又タイムカプセルを入れたカン等の物自体は特に価値がなく、タイムカプセル自体に価値があるということを想定しており、他人にタイムカプセル及びタイムカプセルの入ったそれ自体価値のある物を、という二重のプレゼントをするということ、及び常にタイムカプセルを目に触れるような身近な場所に置いておくということは行われていない。
【０００４】
そこで、本考案は、他人に二重のプレゼントをすることが出来、かつ目に触れる身近な場所に置いておくということが出来る、タイムカプセルをその内部に入れることが出来る人形、特に縫いぐるみを提供することを目的とする。
【課題を解決するための手段】
【０００５】
前記目的を達成するため、本考案のタイムカプセルをその内部に入れることが出来る人形は、
胴体の一方側に設けられた空洞部と、当該空洞部を開閉するために設けられたファスナーと、首部と胴体の間に設けられたＤ型形状の金具と、当該Ｄ型形状の金具と当該ファスナーに設けられた環とを掛ける錠と、一方の手の平とその上部に縫いつけられた生地との間に置かれた鍵と、一方の手の平の鍵を置く下の生地と上部に縫いつけられた生地とが同一の生地であること、からなる人形と，当該空洞部に収納するタイムカプセルとの組合せからなる。
【０００６】
前記人形が縫いぐるみ、特に熊の縫いぐるみが好適である。
【０００７】
前記空洞部及びファスナーが人形の胴体の背部に設けられていることが好適である。
【０００８】
前記縫いぐるみの身体がヤギのモヘアで出来ており、目がガラスで出来ており、首にリボンが設けられ、かつ手の平及び足の裏部に刺繍がされていることが好適であり、身体の一部にアクセサリーを付けることが好適である。
【考案の効果】
【０００９】
本考案は以上の構成を有するので、人形、特に熊の縫いぐるみの人形としての機能の外に、タイムカプセルの機能をもたせた人形を提供することが出来るものである。
又人形そのものをプレゼントするだけでなくタイムカプセルもプレゼントすることが出来、二重のプレゼントの効果を生じるものである。
【考案を実施するための最良の形態】
【００１０】
以下本考案の実施の形態の一例を図面に基づいて説明する。
又、本考案の実施の形態は熊の縫いぐるみ（デディベア）を例として説明する。
【００１１】
図１は背部に設けられたファスナー２を開いてタイムカプセル１１を空洞部１に入れる状態を示した図であり、図２はタイムカプセル１１を空洞部１に入れ、ファスナー２を閉めて、錠（たとえば南京錠）を掛けた状態を示す図である。
胴体９の背部に設けられたファスナー２を開いて空洞部１にタイムカプセル１１を入れ、ファスナー２を閉める。
ファスナー２を閉めた後、首部を胴体の間３にテープ、たとえばグログランテープを挟みこんで取り付けられたＤ型形状の金具４とファスナーの環５に錠６を掛ける。
ここで、タイムカプセル１１の形状、材質は、プラスチック等、なんでも良い。
【００１２】
錠６を掛けることにより、空洞部１に収納したタイムカプセル１１を容易に取り出すことが出来なくなるものである。
【００１３】
図３は鍵７をしまっておく状態を示す図であり、一方の手の平８（右、左どちらでも可）の上に鍵７を置いてその上から生地１０を縫いつける。鍵７を容易に取り出せないように、かつ鍵７を失くさないように、又鍵７をどこに置いたか忘れさせないようにするためである。
又、錠６はＤ型形状の金具４と環５を掛ける前から、たとえば南京錠のような場合、錠６が掛かっている場合があるので、それを開けてから前記金具４と環５に錠６を掛けなければならなくなることがあり、そのためスペアキーを前もって準備しておくことが好適である。
【００１４】
一定の期間、たとえば錠６を掛けてから１０年経過後に鍵７を手の平８から取り出し、錠６を開けて、錠６をはずし、ファスナー２を開いて、空洞部１よりタイムカプセル１１を取り出すものである。
本考案では、手の平８の鍵７を置く下の生地１５と上の生地１０と同一の生地を使用しているものである。錠６を取り出した後の下の生地１５が上の生地１０と同じになっているので、熊の縫いぐるみとしての美観を損なわず使用できるものである。
【００１５】
熊の縫いぐるみ、特にテディベアの場合は身体がヤギのモヘアで出来ており、目１３がガラスで出来ていることが本格的なテディベアであることを示すために好適である。又首にリボン１４が付いており、両方又は片方の手の平８及び足の裏部１２に刺繍がされている。
この刺繍は熊の縫いぐるみを買った人の名前、記念となる年、月、日、タイムカプセル１１を取り出す年、月、日等種々のメッセージを刺繍するものである。
又、手、足は自由に動くようになっている。
さらに、熊の縫いぐるみの身体の一部、たとえば耳等に、テントウ虫等の形をしたアクセサリーを付けることも好適である（図示せず）。
【図面の簡単な説明】
【００１６】
【図１】背部に設けられたファスナーを開いてタイムカプセルを空洞部に入れる状態を示す図である。
【図２】タイムカプセルを空洞部に入れファスナーを閉めて錠を掛けた状態を示す図である。
【図３】鍵をしまっておく状態を示す図である。
【符号の説明】
【００１７】
１        空洞部
２        ファスナー
３        首部と胴体の間
４        Ｄ型形状の金具
５        環
６        錠
７        鍵
８        手の平
９        胴体
１０        上の生地
１１        タイムカプセル
１２        足の裏部
１３        目
１４        リボン
１５        下の生地
【図１】
0003141520.tif 000003
【図２】
0003141520.tif 000004
【図３】
0003141520.tif 000005